(57)【要約】      （修正有）【課題】背面ケースと印刷回路板の間の隙間の長さを短縮することができる開孔式マルチメディア回路板を提供する。【解決手段】開孔３１１が開設され、少なくとも一つの回路端子３１２が設けられている印刷回路板３１と、開孔３１１に貫入した連結ポート３２２と、連結ポート３２２から延長して回路端子３１２とラップする少なくとも一つの連結端子とから構成される電気的コネクターと、を含む。【選択図】図２
0003144089.tif 000002
【実用新案登録請求の範囲】
【請求項１】
開孔が開設され、少なくとも一つの回路端子が設けられている印刷回路板と、
前記開孔に貫入した連結ポートと、前記連結ポートから延長して前記回路端子とラップする少なくとも一つの連結端子とから構成される電気的コネクターと、を含むことを特徴とする
開孔式マルチメディア回路板。
【請求項２】
上記開孔式マルチメディア回路板は、高解像力マルチメディアインターフェース回路板であることを特徴とする、請求項１に記載の開孔式マルチメディア回路板。
【請求項３】
上記開孔式マルチメディア回路板は、ディスプレイポート（Display Port）回路板であることを特徴とする、請求項１に記載の開孔式マルチメディア回路板。
【請求項４】
前記電気的コネクターは、更に、前記連結ポートと結合している固定片を含むことを特徴とする、請求項１に記載の開孔式マルチメディア回路板。
【請求項５】
前記印刷回路板は、更に、前記固定片を前記印刷回路板に位置決めるための位置決め穴が少なくとも一つ開設されていることを特徴とする、請求項４に記載の開孔式マルチメディア回路板。
【請求項６】
前記固定片は、更に、前記位置決め穴に挿入した少なくとも一つの位置決め脚を含み、これにより、前記印刷回路板に前記固定片を位置決めることができることを特徴とする、請求項５に記載の開孔式マルチメディア回路板。
【請求項７】
上記開孔式マルチメディア回路板は、ディスプレイパネルと背面ケースの間に設けられており、ディスプレイパネルと背面ケースに合せるとシート型マルチメディア再生装置が構成されることを特徴とする、請求項１に記載の開孔式マルチメディア回路板。
【請求項８】
前記開孔は開放式サイド穴であることを特徴とする、請求項１に記載の開孔式マルチメディア回路板。
【考案の詳細な説明】
【技術分野】
【０００１】
本考案は、開孔式マルチメディア回路板に関し、特に、印刷回路板に開孔を開設して、電気的コネクターの連結ポートを前記開孔に貫入して前記印刷回路板と結合するマルチメディア回路板に関するものである。
【背景技術】
【０００２】
日常生活において、電気的コネクターは、各種類の電子装置、回路板及び伝送ケーブルの電気的な連結に多用されている。電気的コネクターの存在により、電子装置の回路板による制御信号を電子装置内の別の受動部材に伝送可能であり、そして制御信号を別の電子装置に伝送することもできる。
【０００３】
シート型マルチメディア再生装置（特に、液晶ディスプレイ又はプラズマディスプレイ）は、ディスプレイパネルと、背面ケースと、マルチメディア回路板と、から構成され、且つマルチメディア回路板は、一般に電気的コネクターを含み、これにより、シート型マルチメディア再生装置の外部からのマルチメディア信号を接収して再生することができる。
【０００４】
次に、図１を参照しながら従来技術を更に詳細に説明する。図１は従来のマルチメディア回路板がシート型マルチメディア再生装置に適用されたことを示す概略図である。図１に示すように、このマルチメディア回路板１は、パッケージケース２内に結合されており、これにより、シート型マルチメディア再生装置１００が構成される。
【０００５】
マルチメディア回路板１は、印刷回路板１１と、電気的コネクター１２と、を含む。印刷回路板１１の配置面に少なくとも一つの印刷回路が設けられており、電気的コネクター１２は、コネクター本体１２１と、複数の連結端子（Connection Pin）１２２と、を含み、コネクター本体１２１は印刷回路板１１の配置面に結合されており、連結端子１２２は、コネクター本体１２１から延長して印刷回路板１１にレーアウトされた印刷回路と電気的にラップしている。
【０００６】
パッケージケース２は、ディスプレイパネル２１と、ディスプレイパネル２１と結合可能な背面ケース２２と、を含み、マルチメディア回路板１が上記両者の間にパッケージされており、印刷回路板１１の配置面が背面ケース２２に向いている。このとき、背面ケース２２には、電気的コネクター１２に対応しているコネクター開口２２１が開設されている。伝送ケーブルをコネクター開口２２１に挿通して電気的コネクター１２とラップすると、マルチメディア信号を印刷回路板１１に伝送することができ、そうすると、シート型マルチメディア再生装置１００は、マルチメディア信号によってマルチメディアを再生することができる。
【０００７】
シート型マルチメディア再生装置１００は、占めるスペースを節約するために、全体の機械的強度及びマルチメディア再生機能を影響しない前提で、全厚さｔ１ができる限り減少される。
【０００８】
図１に示すように、全厚さｔ１は、第一厚さｔ１１と第二厚さｔ１２の和であり、第一厚さｔ１１は、背面ケース２２自身の厚さと、背面ケース２２と印刷回路板１１の間の隙間の長さと、を含み、第二厚さｔ１２は、印刷回路板１１及びディスプレイパネル２１自身の厚さと、印刷回路板１１とディスプレイパネル２１の間の隙間の長さと、を含む。
【０００９】
実際には、シート型マルチメディア再生装置１００の機械的強度及びマルチメディア再生機能を影響しないために、ディスプレイ２１及び背面ケース２２を一定の厚さに保持することが一般である。更に、電気的安全性と、電磁波対策と、印刷回路レーアウト便利性とを考慮して、印刷回路板１１を一定の厚さに保持することも一般である。
【００１０】
だから、背面ケース２２と印刷回路板１１の間の隙間の長さを短縮することにより第一厚さｔ１１を減少し、又は背面ケース２２と印刷回路板１１の間の隙間の長さを短縮することにより第二厚さｔ１２を減少しないと、シート型マルチメディア再生装置１００の全厚さｔ１を短縮することができない。
【００１１】
上記のことは周知な知識であり、上記の従来の実施例では、電気的コネクター１２全体が印刷回路板１１の一面（すなわち、上記の配置面）に設けられているので、電気的コネクター１２自身の長さがより長いと、背面ケース２２と印刷回路板１１の間の隙間の長さが長くなり、ひいては第一厚さｔ１１が大きくなり、そしてシート型マルチメディア再生装置１００の全厚さｔ１も大きくなる。
【考案の開示】
【考案が解決しようとする課題】
【００１２】
本考案の主な目的は、背面ケースと印刷回路板の間の隙間の長さを短縮することができる開孔式マルチメディア回路板を提供することにある。
【課題を解決するための手段】
【００１３】
本考案の請求項１に記載の開孔式マルチメディア回路板によると、開孔が開設され、少なくとも一つの回路端子（Circuit  Pin）が設けられている印刷回路板（Printed  Circuit  Board；PCD）と、
前記開孔に貫入した連結ポートと、前記連結ポートから延長して前記回路端子とラップする少なくとも一つの連結端子（Connection  Pin）とから構成される電気的コネクターと、を含むことを特徴とする開孔式マルチメディア回路板である。
【００１４】
本考案の請求項２に記載の開孔式マルチメディア回路板によると、上記開孔式マルチメディア回路板は、高解像力マルチメディアインターフェース（High  Definition  Multimedia  Interface；HDMI）回路板である。
【００１５】
本考案の請求項３に記載の開孔式マルチメディア回路板によると、上記開孔式マルチメディア回路板は、ディスプレイポート（Display  Port）回路板である。
【００１６】
本考案の請求項４に記載の開孔式マルチメディア回路板によると、前記電気的コネクターは、更に、前記連結ポートと結合している固定片を含む。
【００１７】
本考案の請求項５に記載の開孔式マルチメディア回路板によると、前記印刷回路板は、更に、前記固定片を前記印刷回路板に位置決めるための位置決め穴が少なくとも一つ開設されている。
【００１８】
本考案の請求項６に記載の開孔式マルチメディア回路板によると、前記固定片は、更に、前記位置決め穴に挿入した少なくとも一つの位置決め脚を含み、これにより、前記印刷回路板に前記固定片を位置決めることができる。
【００１９】
本考案の請求項７に記載の開孔式マルチメディア回路板によると、上記開孔式マルチメディア回路板は、ディスプレイパネルと背面ケースの間に設けられており、ディスプレイパネルと背面ケースに合せるとシート型マルチメディア再生装置が構成される。
【００２０】
本考案の請求項８に記載の開孔式マルチメディア回路板によると、前記開孔は開放式サイド穴である。
【考案の効果】
【００２１】
本考案の開孔式マルチメディア回路板によれば、背面ケースと印刷回路板の間の隙間の長さを短縮することができるという効果を有する。
【考案を実施するための最良の形態】
【００２２】
以下、本考案の実施の形態を図面に基づいて説明する。
【００２３】
本考案に係る開孔式マルチメディア回路板は、各種類のマルチメディア再生装置（特に、シート型マルチメディア再生装置）に適用することができ、そして実施可能な形態が極めて多いので、ここで、二つの好適な実施例を挙げて本考案を具体的に説明する。
【００２４】
まず、図２を参照する。図２は本考案の第一実施例の分解斜視図である。開孔式マルチメディア回路板３は、図２に示すように、高解像力マルチメディアインターフェース回路板であってもいいし、ディスプレイポート回路板であってもよく、且つ印刷回路板３１と、電気的コネクター３２と、を含む。印刷回路板３１には、開孔３１１が開設されており、少なくとも一つの印刷回路及び複数の回路端子３１２が２次元又は３次元に設けられており、少なくとも一部の回路端子３１２が前記印刷回路と電気的に連接している。そして印刷回路板３１の上では、更に、位置決め溝３１３，３１４，３１５，３１６が開設されている。
【００２５】
電気的コネクター３２は、固定片３２１と、連結ポート３２２と、複数の連結端子３２３と、を含む。固定片３２１は、印刷回路板３１に隣接している位置決め脚３２１ａ，３２１ｂ，３２１ｃを含み、且つ位置決め脚３２１ａ，３２１ｂ，３２１ｃは、それぞれ位置決め溝３１４，３１５，３１６に応じて印刷回路板３１に向いて延長している。そして固定片３２１は、位置決め溝３１３に応じて別の位置決め脚（図示せず）を延長してもよい。一方、固定片３２１の回路板から遠ざかった一対のサイドプレートには、連結穴３２１ｍ，３２１ｎを開設してもよい。
【００２６】
連結ポート３２２は、固定片３２１と結合しており、本実施例では、固定片３２１がフックによって連結ポート３２２と結合する。複数の連結端子３２３は、連結ポート３２２から伸び出しており、上記の複数の回路端子３１２に対応する位置にレイアウトされている。
次に、図２及び図３を参照する。図３は本考案の第一実施例の組合せ状態を示す斜視図である。開孔式マルチメディア回路板３を組付けようとする場合には、まず、電気的コネクタ３２の組付けを完成して、電気的コネクタ３２を印刷回路板３１と結合する。
【００２７】
印刷回路板３１に電気的コネクタ３２を結合しようとする場合には、開孔３１１に連結ポート３２２を貫入して、各連結端子３２３をそれに対応している回路端子３１２とそれぞれ結合して、固定片３２１の位置決め脚３２１ａ，３２１ｂ，３２１ｃをそれぞれ位置決め溝３１４，３１５，３１６に挿入することにより、固定片３２１が印刷回路板３１の上での予定位置に位置決められるようになる。
【００２８】
次に、図１乃至図４を参照する。図４は本考案の第一実施例に係る開孔式マルチメディア回路板がシート型マルチメディア再生装置に適用されたことを示す概略図である。パッケージケース４内に開孔式マルチメディア回路板３が組付けられているので、シート型マルチメディア再生装置２００が構成される。
【００２９】
パッケージケース４は、ディスプレイパネル４１と、ディスプレイパネル４１と結合している背面ケース４２と、を含み、これにより、固定片３２１に開設された連結穴３２１ｍ，３２１ｎを背面ケース４２に向いているように、上記両者の間に開孔式マルチメディア回路板３をパッケージすることができる。だから、連結穴３２１ｍ，３２１ｎにベルト及びネジを螺合し、又は連結穴３２１ｍ，３２１ｎに結合ピンを挿入するなどの方式により、背面ケース４２に電気的コネクター３２を結合することができる。且つ背面ケース４２の電気的コネクター３２に対応している箇所ではコネクター開口４２１が開設されている。伝送ケーブルをコネクター開口４２１に挿通して電気的コネクター３２とラップすると、マルチメディア信号を印刷回路板３１に伝送することができ、そうすると、シート型マルチメディア再生装置２００は、マルチメディア信号によってマルチメディアを再生することができる。
【００３０】
シート型マルチメディア再生装置２００の全厚さはｔ２である。全厚さｔ２は、第一厚さｔ２１と第二厚さｔ２２の和であり、第一厚さｔ２１は、背面ケース４２自身の厚さと、背面ケース４２と印刷回路板３１の間の隙間の長さと、を含み、第二厚さｔ２２は、印刷回路板３１及びディスプレイパネル４１自身の厚さと、印刷回路板３１とディスプレイパネル４１の間の隙間の長さと、を含む。
【００３１】
上記のことは周知な知識であり、従来技術によるマルチメディア回路板１に比べると、本考案に係る開孔式マルチメディア回路板３において、電気的コネクター３２の連結ポート３２２は印刷回路板３１に開設された開孔３１１に貫入することができるので、電気的コネクター３２の連結ポート３２２の背面ケース４２に向いている突出長さを短縮することができ、これにより印刷回路板３１と背面ケース４２の間の隙間の長さを短縮することができ、ひいては第一厚さｔ２１が短縮される。すなわち、第一厚さｔ２１は従来技術による第一厚さｔ１１よりも小さい。
【００３２】
上記の説明から明らかなように、本考案をシート型マルチメディア再生装置２００に適用すると、シート型マルチメディア再生装置２００の全厚さｔ２が短縮され、すなわち、シート型マルチメディア再生装置２００の全厚さｔ２は従来技術によるシート型マルチメディア再生装置１００の全厚さｔ１よりも小さい。
【００３３】
次に、図５を参照する。図５は本考案の第二実施例の分解斜視図である。本実施例では、図５に示すように、第一実施例における開孔式マルチメディア回路板３の代わりに開孔式マルチメディア回路板３´、第一実施例における印刷回路板３１の代わりに印刷回路板３１´が採用される。本実施例では、印刷回路板３１´には、第一実施例における開孔３１１の代わりに開放式サイド穴３１１´が開設されている。本考案の第二実施例によると、上記の第一実施例と同じ効果を達成することもできる。
【００３４】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００３５】
【図１】従来のマルチメディア回路板がシート型マルチメディア再生装置に適用されたことを示す概略図である。
【図２】本考案の第一実施例の分解斜視図である。
【図３】本考案の第一実施例の組合せ状態を示す斜視図である。
【図４】本考案の第一実施例に係る開孔式マルチメディア回路板がシート型マルチメディア再生装置に適用されたことを示す概略図である。
【図５】本考案の第二実施例の分解斜視図である。
【符号の説明】
【００３６】
１：マルチメディア回路板
２，４：パッケージケース
３，３´：開孔式マルチメディア回路板
１１：印刷回路板
１２：電気的コネクター
２１，４１：ディスプレイパネル
２２，４２：背面ケース
３１，３１´：印刷回路板
３２：電気的コネクター
１００，２００：シート型マルチメディア再生装置
１２１：コネクター本体
１２２：連結端子
２２１，４２１：コネクター開口
３１１：開孔
３１１´：開放式サイド穴
３１２：回路端子
３１３，３１４，３１５，３１６：位置決め溝
３２１：固定片
３２１ａ，３２１ｂ，３２１ｃ：位置決め脚
３２１ｍ，３２１ｎ：連結穴
３２２：連結ポート
ｔ１，ｔ２：全厚さ
ｔ１１，ｔ２１：第一厚さ
ｔ１２，ｔ２２：第二厚さ
【図１】
0003144089.tif 000003
【図２】
0003144089.tif 000004
【図３】
0003144089.tif 000005
【図４】
0003144089.tif 000006
【図５】
0003144089.tif 000007